(57)【要約】【課題】  敷地を有効に利用することができるとともに床下の収納空間を狭くしてしまうことのない雨水利用システムを提供する。【解決手段】  建物１１の屋根１２などから集水された雨水を沈殿処理する第１雨水桝２０と、この第１雨水桝２０によって沈殿処理された雨水を貯水する貯水タンク３０と、この貯水タンク３０に貯水された雨水を所定の箇所へ送るポンプ４０とを備えた雨水利用システムであって、第１雨水桝２０を建物１１の敷地に埋設し、貯水タンク３０を建物１１のべた基礎３１の下に設置する。【選択図】  図１
2006022576.tif 000002
【特許請求の範囲】
【請求項１】
建物の屋根などから集水された雨水を沈殿処理する第１雨水桝と、この第１雨水桝によ
って沈殿処理された雨水を貯水する貯水タンクと、この貯水タンクに貯水された雨水を所
定の箇所へ送るポンプとを備えた雨水利用システムであって、
第１雨水桝を埋設し、
前記貯水タンクを前記建物のべた基礎の下に設置したことを特徴とする雨水利用システ
ム。
【請求項２】
前記第１雨水桝に所定量以上の雨水が溜まったときにその雨水を排水するオーバフロー
ト管を設け、
このオーバフロート管から排水された雨水を溜める第２雨水桝を設けたことを特徴とす
る請求項２に記載の雨水利用システム。
【請求項３】
第１雨水桝にフィルタを設け、このフィルタによって浄化された雨水が前記貯水槽に貯
水されることを特徴とする請求項１または請求項２に記載の雨水利用システム。
【請求項４】
前記貯水槽は、再生ドラム缶であることを特徴とする請求項１ないし請求項３に記載の
雨水利用システム。
【発明の詳細な説明】
【技術分野】
【０００１】
この発明は、建物の屋根などの雨水を集めて貯水タンクに貯水し、この貯水タンクの水
をトイレや散水などに利用する雨水利用システムに関する。
【背景技術】
【０００２】
従来から、雨水を貯水タンクに貯水し、この雨水を利用する雨水利用システムが知られ
ている（特許文献１参照）。
【０００３】
かかる雨水利用システムは、雨水貯留容器を屋外に設置し、この雨水貯留容器に屋根な
どの雨水を集め、この集めた雨水を床下に設置した貯水槽に貯水するものである。
【特許文献１】特開２００４−９２３６５号公報
【発明の開示】
【発明が解決しようとする課題】
【０００４】
しかしながら、このような雨水利用システムにあっては、雨水貯留容器を庭などに設置
しているため、敷地が狭くなるとともに邪魔であるという問題がある。また、貯水槽を床
下に設置するため、床下を収納空間として使用する場合、その収納空間が狭くなってしま
うという問題があった。
【０００５】
この発明の目的は、敷地を有効に利用することができるとともに床下の収納空間を狭く
してしまうことのない雨水利用システムを提供することにある。
【課題を解決するための手段】
【０００６】
請求項１の発明は、建物の屋根などから集水された雨水を沈殿処理する第１雨水桝と、
この第１雨水桝によって沈殿処理された雨水を貯水する貯水タンクと、この貯水タンクに
貯水された雨水を所定の箇所へ送るポンプとを備えた雨水利用システムであって、
第１雨水桝を埋設し、
前記貯水タンクを前記建物のべた基礎の下に設置したことを特徴とする。
【０００７】
請求項２の発明は、前記第１雨水桝に所定量以上の雨水が溜まったときにその雨水を排
水するオーバフロート管を設け、
このオーバフロート管から排水された雨水を溜める第２雨水桝を設けたことを特徴とす
る。
【０００８】
請求項３の発明は、第１雨水桝にフィルタを設け、このフィルタによって浄化された雨
水が前記貯水槽に貯水されることを特徴とする。
【０００９】
請求項４の発明は、前記貯水槽は、再生ドラム缶であることを特徴とする。
【発明の効果】
【００１０】
請求項１の発明によれば、第１雨水桝が埋設されていることにより、敷地を有効利用す
ることができ、さらに貯水タンクを建物のべた基礎の下に設置したものであるから、床下
の収納空間を狭くしてしまうことがない。しかも、貯水タンクを建物のべた基礎の下に設
置したことにより、第１雨水桝の雨水をポンプなどを使用せずに貯水タンクへ流すことが
できる。
【００１１】
請求項２の発明によれば、貯水タンクの満水時に第１雨水桝の雨水を第２雨水桝へ流す
ことができる。
【００１２】
請求項３の発明によれば、第１雨水桝にフィルタを設けたものであるから、雨水を沈殿
処理した後に浄化を行うことにより、濾過を効率良く行うことができ、メンテナンスもし
易いものとなる。
【００１３】
請求項４の発明によれば、貯水槽が再生ドラム缶であることにより、安価なものとなる
。
【発明を実施するための最良の形態】
【００１４】
以下、この発明に係る雨水利用システムの実施例を図面に基づいて説明する。
【実施例】
【００１５】
図１に示す雨水利用システム１０は、建物１１の屋根１２などから集められた雨水を沈
殿処理する第１雨水桝２０と、この第１雨水桝２０によって沈殿処理された雨水を貯水す
る貯水タンク３０と、この貯水タンク３０に貯水された雨水をトイレ１３や散水用の蛇口
１４へ送るポンプ４０等とを備えている。１３Ａは水洗タンクである。
【００１６】
第１雨水桝２０は、図２に示すように建物１１の敷地に埋設されており、雨樋１５によ
って屋根１２の雨水が第１雨水桝２０へ集水されるようになっている。
【００１７】
第１雨水桝２０内には、内部にフィルタＦ１を有するフィルタケース２５が設けられて
おり、このフィルタケース２５には下方に向けられた導入口２５Ａが形成されている。ま
た、フィルタケース２５の一側部には導入管２６の一端が接続れている。導入口２５Ａか
ら導入された雨水がフィルタＦを介して導入管２６へ流れていくようになっている。第１
雨水桝２０の上部は開口され、この開口２０Ａには蓋２４によって閉塞されており、この
蓋２４を外すことにより、第１雨水桝２０内のメンテナンスを行うことができるようにな
っている。
【００１８】
また、第１雨水桝２０の近傍には第２雨水桝２１が建物１１の敷地に埋設され、第１雨
水桝２０と第２雨水桝２１とは上部に設けたオーバフロー管２２によって連通され、貯水
タンク３０が満水になったとき第１雨水桝２０の雨水が第２雨水桝２１へ流れるようにな
っている。オーバフロー管２２は導入管２６の一端より上に位置している。
【００１９】
第２雨水桝２１には排水管２３が設けられており、第２雨水桝２１で沈殿処理された雨
水が排水管２３を介して下水管（図示せず）等へ排水されるようになっている。また、第
２雨水桝２１の上部は開口され、この開口２１Ａには蓋２８によって閉塞されており、こ
の蓋２８を外すことにより、第２雨水桝２１内のメンテナンスを行うことができるように
なっている。
【００２０】
貯水タンク３０は、建物１１のべた基礎３１に設けた穴３２に入れられるとともに地中
に埋設されており、べた基礎３１の下に設置された状態になっている。また、貯水タンク
３０は、ここでは例えば２００リットルの再生ドラム缶（オープン型ドラム缶）を使用す
る。
【００２１】
貯水タンク３０には導入管２６の他端が接続され、導入管２６は一端側（図２において
左端部）が他端側より高い位置となるように傾斜しており、第１雨水桝２０に集水された
雨水が貯水タンク３０へ流れるようになっている。
【００２２】
また、貯水タンク３０内には上下に延びた吸入管３３が配置されており、この吸入管３
３の下部３３Ａは貯水タンク３０の底近傍に位置し、その下部３３ＡにはフィルタＦ２が
取り付けられている。また、吸入管３２の上部は貯水タンク３０から上方へ突出するとと
もに折り曲げられていてポンプ４０に接続されている。そして、ポンプ４０によって貯水
タンク３０内の雨水が汲み上げられるようになっている。
【００２３】
貯水タンク３０の近傍には、貯水タンク３０と同じ貯水タンク３５が設けられており、
この貯水タンク３５は上記と同様にしてべた基礎３１の下に設置された状態となっている
。貯水タンク３０と貯水タンク３５は下部に設けた連結パイプ３６により連通している。
［作  用］
次に、上記のように構成される雨水利用システム１０の作用について説明する。
【００２４】
雨が降ると、建物１１の屋根１２の雨が雨樋１５により案内されて第１雨水桝２０に集
水される。この集水された雨水は第１雨水桝２０により沈殿処理される。そして、沈殿処
理された雨水が第１雨水桝２０の鎖線位置近傍まで溜まると、この雨水は、フィルタケー
ス２５の導入口２５Ａからフィルタケース２５内へ入り、フィルタＦ１によって濾過され
て導入管２６を通って貯水タンク３０へ流れていき、貯水タンク３０に貯水される。
【００２５】
貯水タンク３０に貯水される雨水は、連結パイプ３６により貯水タンク３５にも貯水さ
れていく。
【００２６】
そして、貯水タンク３０に貯水された雨水はポンプ４０により汲み上げられてトイレ１
３のタンク１３Ａや蛇口１４へ供給されることになる。
【００２７】
貯水タンク３０,３５に貯水される雨水は、上述のように第１雨水桝２０により沈殿処
理され、さらにフィルタＦ１によって濾過されて浄化されているので、トイレ１３に使用
しても不快感を与えてしまうことがない。
【００２８】
また、貯水タンク３０,３５は地中に埋設されているので、貯水された雨水の温度を一
定（約１６度）に保つことができ、寒冷地では凍結を防止することができる。そして、冬
期時に快適な水温で洗車や植木などへの散水を行うことができる。まあ、夏場では冷水を
散水することができることになる。
【００２９】
貯水タンク３０,３５は、建物１１のべた基礎３１の下に設置された状態になっている
ので、建物１１の床下空間（収納空間）１１Ｓを狭めてしまうことがなく、床下空間１１
Ｓを有効利用することができる。また、貯水タンク３０,３５は再生ドラム缶を利用して
いるので、貯水タンク３０,３５は安価なものとなる。しかも、再生ドラム缶の確実な水
密性により、漏れることなく貯水タンク３０,３５に確実に貯水することができる。
【００３０】
さらに、オープン型の再生ドラム缶の蓋３０Ａ,３５Ａの密閉性により、臭いを確実に
閉じこめておくことができる。また、オープン型であることにより蓋３０Ａ,３５Ａを開
けることができ、これにより貯水タンク３０,３５のメンテナンスが容易に行える。
【００３１】
貯水タンク３０,３５が満水になると、第１雨水桝２０に集水された雨水がオーバフロ
ー管２２を介して第２雨水桝２１へ流れていくので、貯水タンク３０,３５から雨水があ
ふれてしまうことが防止される。
【００３２】
第１,第２雨水桝２０,２１は建物１１の敷地に埋設されているので、その敷地を有効利
用することができる。
【００３３】
また、貯水タンク３０,３５をべた基礎３１の下に設置したものであるから、第１雨水
桝２０に集水された雨水を貯水タンク３０,３５に直接貯水することができ、ポンプやサ
ブタンクが不要となる。
【００３４】
以上、この発明の実施例を説明したが、この発明は上記実施例に限定されるものではな
く、この発明の要旨を逸脱しない範囲の設計変更などがあっても、この発明に含まれるの
は勿論である。例えば、雨水だけでなく、浴槽などの水も貯水するようにしてもよい。
【図面の簡単な説明】
【００３５】
【図１】この発明に係る雨水利用システムの構成を概略的に示した説明図である。。
【図２】図１に雨水利用システムの主要部を拡大した拡大説明図である。
【符号の説明】
【００３６】
１１                建物
１２                屋根
２０                第１雨水桝
２１                第２雨水桝
３０                貯水タンク
３１                べた基礎
４０                ポンプ
【図１】
2006022576.tif 000003
【図２】
2006022576.tif 000004